(57)【要約】【課題】  グラウンドの水を排水するための排水機能を備え、グラウンド表層を流れ、流出する土砂・ゴムチップ他グランドの充填物や芝刈り残滓をろ過し、外部に流出するのを防ぐことが可能なグラウンドの排水装置を提供する。【解決手段】  人工芝グラウンド１の周囲の一部又は全部に側溝２を設け、該側溝の下流側終端部が主排水溝１００に接続されている基本構成において、側溝の少なくともグラウンド１の境界部より下流側位置を含めた単又は複数適所に、側溝内下部を塞ぐように堰部３を設けるとともに、側溝内底部に堰部を水密状態で貫通するように透水性管４を敷設し、更に透水性管の上流側端部を閉塞し、グラウンド表層から側溝内に流れ込んだ粒状物Ａを透水性管でろ過してグラウンド施設からの流出を防止するとともに、雨水のみを透水性管を通じて主排水溝に排水する。【選択図】図３
2011137354.tif 000002
【特許請求の範囲】
【請求項１】
グラウンドの周囲の一部又は全部に側溝を設け、該側溝の下流側終端部が主排水溝に接続されているグラウンドの排水装置において、前記側溝の少なくともグラウンドの境界部より下流側位置を含めた単又は複数適所に、前記側溝内下部を塞ぐように堰部を設けるとともに、前記側溝内底部に前記堰部を水密状態で貫通するように透水性管を敷設し、更に前記透水性管の上流側端部を閉塞し、グラウンド表層から側溝内に流れ込んだ粒状物を前記透水性管でろ過してグラウンド施設からの流出を防止するとともに、雨水のみを前記透水性管を通じて主排水溝に排水することを特徴とするグラウンドの排水装置。
【請求項２】
前記透水性管の上流側端部の近傍を、支持手段で側溝内部に該側溝内下部を塞がないように固定してなる請求項１記載のグラウンドの排水装置。
【請求項３】
前記支持手段が、前記透水性管を上下から挟み込んで固定する二つ割り構造の連結部材に、前記側溝の内壁にボルト止めして保持する固定部材を一体的又は着脱可能に設けてなる請求項２記載のグラウンドの排水装置。
【請求項４】
前記側溝の下流側終端部と主排水溝の接続部に、最下流側の前記堰部を設けてなる請求項１〜３何れかに記載のグラウンドの排水装置。
【請求項５】
前記透水性管を上下から挟み込んで固定する二つ割り構造の連結部材に、前記側溝の内部を塞ぐための堰板を一体的又は着脱可能に設け、前記堰部とする請求項１〜４何れかに記載のグラウンドの排水装置。
【請求項６】
前記透水性管が透水性コルゲート管である請求項１〜５何れかに記載のグラウンドの排水装置。
【請求項７】
前記グラウンドが、砂やゴムチップ等の粒状物が充填された人工芝グラウンドである請求項１〜６何れかに記載のグラウンドの排水装置。
【発明の詳細な説明】
【技術分野】
【０００１】  本発明は、グラウンドの排水装置に係わり、更に詳しくはクレーコート、クレーグラウンド又は人工芝グラウンド、あるいは天然芝グラウンド等のグラウンドにおいて、粒状物や芝刈り残滓の流出を防止するろ過機能を備えた排水装置に関するものである。
【背景技術】
【０００２】  近年、野球場を始め、サッカー場、ラグビー場、アメリカンフットボール場、ホッケー場として、ランニングコストが低いこと、天候にあまり左右されずに使用できること等の利点のため、人工芝グラウンドが急激に普及してきた。このような目的に使用される人工芝は、熱可塑性樹脂製基布に合成樹脂製の芝葉を植設するとともに、基布の裏面に架橋した合成樹脂材料によって裏打ち層を形成し、芝葉の間に砂等の無機系粒状物または有機系粒状物からなる硬質粒状物とゴムチップ弾性粒状物を充填してクッション性を高めた構造となっている。【０００３】  これらの従来の人工芝グランドでは、雨水を透水性の人工芝の基材シートを通して下地弾性層から路盤層、路床へと浸透させて排水する構造であるが、浸透し切れない過剰な水はグラウンド表層を流れて側溝から排水される。この際に、人工芝の芝葉の間に充填した砂やゴムチップ等の粒状物が、水流に乗ってグラウンドから流れ出し、側溝を通して外部に流出することになる。同様に、クレーコートやクレーグラウンドにおいても砂等の粒状物が流出する。一方、天然芝グラウンドにおいても、頻繁に成長した芝葉を芝刈り機で刈り込む作業を行う必要があり、刈り取った芝葉は吸引して回収するが、完全に除去することは困難であり、その芝刈り残滓が雨の日に流出するのである。【０００４】  このように、グラウンドから流出した粒状物や芝刈り残滓が、側溝を通して外部に流出すると、グラウンド外の排水溝や排水管に溜まって本来の排水機能を損なわせ、あるいは下水や雨水処理場の負担の増大を来たし、社会問題あるいは環境問題を引き起こす可能性がある。【０００５】  そこで、人工芝グランドにおいて砂等の粒状物の流出を防止する構造が提案されている。特許文献１には、安定基盤の上に砂入りの第１の人工芝生を敷設し、前記安定基盤の端部には側溝が形成され、この側溝に隣接する安定基盤の端部上には前記第１の人工芝生を存在させず、その部分に透水性のブロックを敷き、このブロックの上に前記第１の人工芝生の基布に植毛されたパイルの高さより高さの低いパイルを基布に植毛してなる第２の人工芝生が敷設された砂入り人工芝生の端部砂止め構造が開示されている。また、特許文献２には、人工芝が敷設された区域において、その端辺部に敷設された人工芝が、当該端辺部より内側の区域に敷設された人工芝より、パイル密度が１．１倍以上となされ、パイル長さが長く、パイルに捲縮加工がなされており、ヤーンの幅が細くなされるとともに、前記人工芝が敷設されている区域の外側に設けられている排水溝部端部から間隔を置いて、人工芝に充填材が充填されている人工芝が開示されている。【０００６】  一方、特許文献３には、人工芝生に砂が混入された砂入り人工芝コート又はグランドの外周囲に、Ｕ字溝等の排水溝が設置されて成る人工芝コート又はグランドにおいて、前記砂入り人工芝コート又はグランドの人工芝生の高さより高い草丈の人工芝生により形成された砂流出防止用人工芝が、前記排水溝の蓋体の上面を含み、前記排水溝と砂入り人工芝コート又はグランドとの間に敷設されている砂入り人工芝等のコート又はグランドにおける砂流出防止構造が開示されている。
【先行技術文献】
【特許文献】
【特許文献１】  特開２０００−１６０５０５号公報
【特許文献２】  特開２００６−２０７３３７号公報
【特許文献３】  特開２００１−３２３４０７号公報
【発明の概要】
【発明が解決しようとする課題】
【０００７】  前述の特許文献１〜３に記載の構造は、何れも側溝に流入する前に砂等を阻止するものであり、一定の効果は期待できるものの、特許文献１，２の構造は風雨が強い場合には流出阻止領域を越えて側溝に粒状物等が流出する恐れがあり、また特許文献３の構造は側溝が完全に隠れているので粒状物等の流出防止効果に優れているものの、側溝内のメンテナンスに支障を来たすことになり、何れも一長一短がある。また、クレーコート、クレーグラウンドや天然芝グラウンドに適用することは想定していない。【０００８】  そこで、前述の課題を解決するために、本発明は、グラウンドの水を排水するための排水機能を備え、グラウンド表層を流れ、流出する土砂・ゴムチップ他グランドの充填物や芝刈り残滓をろ過し、外部に流出するのを防ぐことが可能なグラウンドの排水装置を提供することを目的とする。
【課題を解決するための手段】
【０００９】  上記目的を達成するため、本発明は、グラウンドの周囲の一部又は全部に側溝を設け、該側溝の下流側終端部が主排水溝に接続されているグラウンドの排水装置において、前記側溝の少なくともグラウンドの境界部より下流側位置を含めた単又は複数適所に、前記側溝内下部を塞ぐように堰部を設けるとともに、前記側溝内底部に前記堰部を水密状態で貫通するように透水性管を敷設し、更に前記透水性管の上流側端部を閉塞し、グラウンド表層から側溝内に流れ込んだ粒状物を前記透水性管でろ過してグラウンド施設からの流出を防止するとともに、雨水のみを前記透水性管を通じて主排水溝に排水することを特徴とするグラウンドの排水装置を構成した（請求項１）。【００１０】  ここで、前記透水性管の上流側端部の近傍を、支持手段で側溝内部に該側溝内下部を塞がないように固定してなることが好ましい（請求項２）。この場合、前記支持手段が、前記透水性管を上下から挟み込んで固定する二つ割り構造の連結部材に、前記側溝の内壁にボルト止めして保持する固定部材を一体的又は着脱可能に設けてなることがより好ましい（請求項３）。【００１１】  また、前記側溝の下流側終端部と主排水溝の接続部に、最下流側の前記堰部を設けてなることが好ましい（請求項４）。【００１２】  そして、前記透水性管を上下から挟み込んで固定する二つ割り構造の連結部材に、前記側溝の内部を塞ぐための堰板を一体的又は着脱可能に設け、前記堰部とすることも好ましい（請求項５）。【００１３】  また、前記透水性管が透水性コルゲート管であると好ましい（請求項６）。【００１４】  そして、前記グラウンドが、砂やゴムチップ等の粒状物が充填された人工芝グラウンドであるとより効果が顕著である（請求項７）。
【発明の効果】
【００１５】  このような本発明のグラウンドの排水装置によれば、グラウンドの周囲の一部又は全部に側溝を設け、該側溝の下流側終端部が主排水溝に接続されているグラウンドの排水装置において、前記側溝の少なくともグラウンドの境界部より下流側位置を含めた単又は複数適所に、前記側溝内下部を塞ぐように堰部を設けるとともに、前記側溝内底部に前記堰部を水密状態で貫通するように透水性管を敷設し、更に前記透水性管の上流側端部を閉塞したので、先ず側溝内の底部に設けた堰部でグラウンドから側溝に流入した砂やゴムチップ等の粒状物を含む雨水が外部へそのまま流出することを防止することができ、それから側溝内に溜まった粒状物を含む雨水は、側溝底部に堰部を貫通するように敷設した透水性管でろ過されて、雨水のみを透水性管を通してグラウンド施設外へ排水することができるのである。【００１６】  ここで、前記透水性管の直径と長さは、排水能力を考慮して決定すれば良く、側溝の全長に渡って透水性管を設ける必要がなく、側溝の下流側の一部のみに敷設すれば足りるので、通常の側溝に必要最小限のコストでろ過排水機能を付加することができる。また、通常、側溝にはグレーチング蓋等の蓋体が設けられているが、この蓋体を取り除いて、側溝内に過剰に堆積した粒状物は、掃除機のような吸引機器で吸引して容易に除去することができ、それにより簡単にろ過機能を回復させることができ、そして側溝内から除去した粒状物はグラウンドに散布して戻すことができる。【００１７】  そして、前記透水性管の上流側端部の近傍を、支持手段で側溝内部に該側溝内下部を塞がないように固定することにより、側溝内の水流や水圧によって透水性管の位置がずれたり、縮んだりすることがなく、設計どおりの排水能力を確保できるのである。この場合、透水性管の上流側端部の近傍を固定する支持手段として、前記透水性管を上下から挟み込んで固定する二つ割り構造の連結部材に、前記側溝の内壁にボルト止めして保持する固定部材を一体的又は着脱可能に設けた構造を採用することにより、施工性に優れ、また確実に透水性管を固定することができる。【００１８】  前記グラウンドが、砂やゴムチップ等の粒状物が充填された人工芝グラウンドであると、効果は顕著である。また、砂や土が押し固められたクレーコート、クレーグラウンドでも、砂や土のグラウンド外への流出を防止することができ、一定の効果がある。更に、天然芝グラウンドにおいても、芝刈り残滓のグラウンド外への流出を防止することができるので効果がある。【００１９】  本発明のグラウンドの排水装置は、側溝内に透水性コルゲート管を敷設し、その透水性コルゲート管の下流側端部を堰部に水密状態で貫通させ、該透水性コルゲート管の上流側端部を閉塞するとともに、上流側端部の近傍を接続用の上下二つ割り構造の連結部材で保持し且つ該連結部材に一体的又は着脱可能に設けた固定部材を側溝内壁にボルト止めするだけの簡単な構造であるので、施工が容易であり、低コストで優れたろ過機能を備えた排水施設にすることができるのである。
【図面の簡単な説明】
【００２０】
【図１】本発明に係るグラウンドの排水装置を示し、側溝を横断する面の断面図である。
【図２】人工芝グラウンドの一例を示す部分断面図である。
【図３】本発明に係るグラウンドの排水装置を示す側溝を縦断する面の断面図である。
【図４】同じく部分平面図である。
【図５】透水性管を保持する構造を示す斜視図である。
【図６】本発明に係るグラウンドの排水装置の他の実施形態を示し、側溝を縦断する面の断面図である。
【図７】同じく部分平面図である。
【図８】連結部材と堰板の関係を示す分解斜視図である。
【図９】堰板を側溝側壁にボルト止めにて取付ける構造を示す部分断面図である。
【図１０】堰板をＵ字ブロックの接続部に形成される隙間に係合させて取付ける構造を示す部分断面図である。
【図１１】メッシュ状の透水面を有する透水性コルゲート管の部分側面図である。
【図１２】多数の小孔を有する透水性コルゲート管の部分側面図である。
【発明を実施するための形態】
【００２１】  次に、添付図面に示した実施形態に基づき、本発明を更に詳細に説明する。図１〜図５は本発明のグラウンドの排水装置を示し、図中符号１は人工芝グラウンド、２は側溝、３は堰部、４は透水性管、５は閉塞部材、６は支持手段、７は蓋体をそれぞれ示している。また、図中符号１００は主排水溝、１０１は主排水溝の側壁を示している。本実施形態では、人工芝グラウンド１に排水装置を設ける場合を例示するが、一般のクレーコート、クレーグラウンドや天然芝グラウンドにも適用することが可能であることは明らかである。また、前記主排水溝１００は暗渠であっても構わない。
【００２２】  本発明のグラウンドの排水装置は、人工芝グラウンド１の周囲の一部又は全部に側溝２を設け、該側溝２の下流側終端部が主排水溝１００に接続されている基本構成において、前記側溝２の少なくともグラウンド１の境界部より下流側位置を含めた単又は複数適所に、前記側溝２内下部を塞ぐように堰部３を設けるとともに、前記側溝２内底部に前記堰部３を水密状態で貫通するように透水性管４を敷設し、更に前記透水性管４の上流側端部を閉塞し、グラウンド表層から側溝２内に流れ込んだ粒状物を前記透水性管４でろ過してグラウンド施設からの流出を防止するとともに、雨水のみを前記透水性管４を通じて主排水溝１００に排水する構造である。また、前記側溝２の上端は金属製のグレーチング蓋のような透水性の蓋体７で覆われている。本発明において、グラウンド１の境界部とは、該グラウンド１に降った雨水が直接側溝２へ流れ込む最も下流側の位置を示している。
【００２３】  前記人工芝グラウンド１は、地盤８の上に下地層９を形成し、その上に砂やゴムチップ等の粒状物Ａが充填された人工芝１０を敷設した構造である。本発明では、人工芝グラウンド１の構造に対する限定は不要であるが、前記粒状物Ａに比重が小さく流出し易いゴムチップを含む構造であると効果は顕著になる。
【００２４】  一般的な排水装置は、図３及び図４に示すように、前記側溝２の下流側終端部が主排水溝１００の側壁１０１に接続されている。本実施形態では、前記側溝２の下流側終端部と主排水溝１００の接続部に、最下流側の前記堰部３を設けている。この堰部３は、前記主排水溝１００の側壁１０１に前記側溝２に連通するように設けた開口部を、前記透水性管４の端部を通過させて主排水溝１００内に臨ませた状態で、コンクリートで埋めてコンクリート壁として構築する。あるいは、前記堰部３は、前記主排水溝１００の側壁１０１に開けた挿通孔１０２に前記透水性管４の端部を挿通し、隙間をシーリング材１０３で塞いで構築する。
【００２５】  そして、前記透水性管４の上流側端部を閉塞部材５で閉塞するとともに、上流側端部の近傍を、支持手段６で側溝２内部に該側溝２内下部を塞がないように固定する。本実施形態では、前記支持手段６は、前記透水性管４を上下から挟み込んで固定する二つ割り構造の連結部材１１に、前記側溝２の内壁にボルト止めして保持する固定部材１２を一体的又は着脱可能に設けた構造とした。
【００２６】  具体的には、前記連結部材１１は、上下に二つ割りした半円筒状の胴部１３の両端に連結片１４，１４を屈曲形成した一対の金属部材１１Ａ，１１Ｂからなり、この一対の金属部材１１Ａ，１１Ｂを、前記透水性管４の上流側端部の近傍に配置し、該透水性管４と胴部１３の間に図示しないシール材若しくは緩衝材を介在させて上下から挟み込み、互いの連結片１４，１４を上下からボルト、ナット１５で締め付けて連結するのである。また、前記固定部材１２は、前記連結部材１１の一方の金属部材１１Ａの連結片１４，１４に一体的又は着脱可能に設けたＬ字形部材である。前記固定部材１２の水平片１６は、前記連結片１４に溶接し、あるいは前記ボルト、ナット１５を用いて締結する。また、前記固定部材１２の垂直片１７は、前記側溝２の側壁にコンクリート用アンカーボルト１８で固定する。
【００２７】  前記透水性管４として、図９又は図１０に示すような透水性コルゲート管を用いる。また、前記堰部３を複数箇所に設ける場合は、最下流側以外の堰部３は、後述のようにステンレス製の堰板で構成する。尚、最下流側の堰部３をグラウンドの境界部より下流側位置で、前記主排水溝１００の側壁１０１と一体として設けない場合には、この最下流側の堰部３もステンレス製の堰板で構成することが施工上、好ましい。勿論、前記堰部３をコンクリート壁を打設して形成しても良い。
【００２８】  前記側溝２は、図１及び図３に示すように、前記人工芝グラウンド１の周囲の一部又は全部に、地面を掘り下げて形成した溝の底部にクラッシャーラン１９を敷き打圧した上に、複数の既製Ｕ字ブロック２０，…を設置してそれらを列設するとともに、所望の深さを確保するためにＵ字ブロック２０の両側にコンクリートを打設し上方へ延びた側壁部２１を形成して構築した。ここで、前記Ｕ字ブロック２０の側壁と前記側壁部２１の内面は面一になっている。また、前記側溝２は、排水方向に沿って若干の傾斜を設けている。
【００２９】  本実施形態の前記人工芝グラウンド１の構造を図１及び図２に基づいて簡単に説明する。先ず、既存路床若しくは既存路盤表層を鋤取って不陸を整正して転圧した地盤８の表面に、高浸透性カチオン系アスファルト乳剤を散布して不透水性層２２を形成する。そして、不透水性層２２の上に、下地層９を設け、更に人工芝１０を敷設するのであるが、前記下地層９は、クラッシャーランを８０〜２００ｍｍの厚さに敷設して転圧して形成した排水層２３と、該排水層２３の上に厚さ３０〜７０ｍｍで透水係数が１０−２ｃｍ／ｓｅｃ以上の開粒度のアスファルトコンクリート舗装を施して形成した排水性アスコン層２４とからなる。
【００３０】  前記側溝２に隣接する部分の地盤８は、やや掘り下げ、単粒クラッシャーランを敷設して排水層２３としている。この排水層２３の内部には、面状ドレインあるいは面状排水材からなる板状暗渠管を適宜敷設し、前記側溝２の方向へ浸透した雨水を排水する。この場合、前記Ｕ字ブロック２０の上端の高さを前記不透水性層２２のレベルに略一致させ、前記側壁部２１の上部に前記排水層２３に連続する排水口（図示せず）をコンクリート打設時に設けることが好ましい。
【００３１】  本実施形態では、前記人工芝１０は、サッカー、ラグビー、アメリカンフットボールのように、倒れこんだり、スライディングしたりする激しいスポーツに供用するため、ゴムチップ入りのロングパイル人工芝を例示している。このような人工芝１０は、透水性の基材シート２５に芝葉２６，…を植生し、芝葉２６の間に、ゴムチップと粒度調整砂を混合した充填材２７を充填する。例えば、前記芝葉２６の長さが６５ｍｍで、充填材２７の厚さが約４０ｍｍである。ここで、前記人工芝１０の衝撃吸収率が６０％〜８０％となるように施工することが好ましい。前記人工芝１０が十分な衝撃吸収性を備えてない場合には、前記排水性アスコン層２４の上にアンダーパット層を形成し、その上に人工芝１０を敷設する。
【００３２】  前記透水性管４は、例えば５ｍｍ等の一定長さで提供されているので、それを前記連結部材１１で連結して使用する。つまり、前記連結部材１１の一対の金属部材１１Ａ，１１Ｂを透水性管４，４の接合部に跨って配置し、該透水性管４と胴部１３の間にシール材を介在させて上下から挟み込み、互いの連結片１４，１４を上下からボルト、ナット１５で締め付けて連結するのである。ここで、複数の前記透水性管４，…を連結して用いる場合、中間部が水流や水圧で蛇行したり、伸縮すると好ましくないので、前記透水性管４，４を連結するために用いた前記連結部材１１を、前記固定部材１２を用いて側溝２の側壁に固定することも好ましい。
【００３３】  このように構成した本発明の排水装置の機能を、図１及び図３に基づいて説明する。前記側溝２の内部は少なくともグラウンド１の境界部より下流側位置で、前記堰部３で塞がれている。そして、前記堰部３を透水性管４の下流側端部が貫通するように側溝２の底部に敷設されている。従って、前記側溝２の内部に人工芝グラウンド１の砂やゴムチップ等の粒状物Ａが雨水とともに流れ込み、側溝２を下流側に流れてきたとしても、最下流側にある前記堰部３で止められ、また透水性管４の上流側端部は閉塞されているので、該透水性管４でろ過されて雨水だけ該透水性管４の内部を通って主排水溝１００へ排水されるのである。前記粒状物Ａは、側溝２の底部に堆積し、雨水が排水されて乾燥すると、掃除機のような吸引機器で吸い出すことができる。そして、前記側溝２から除去した粒状物Ａを人工芝１０の上面から散布して再利用することが可能である。
【００３４】  また、複数箇所に前記堰部３，…を設けた場合には、堰部３，３の間の側溝２に流れ込んだ粒状物Ａは下流側の堰部３を通過できず、その位置に堆積する。この構成は、大量に粒状物Ａが流入する場合には有利である。つまり、大量に側溝２に流入した粒状物Ａで、前記透水性管４が埋もれてしまい、ろ過排水機能を果たせなくなることを防止できるからである。尚、側溝２への予期しない雨水の大量流入が発生した場合にも排水機能を持たせるために、前記堰部３を側溝２の全断面にわたって設けるのではなく、側溝２の下部のみに限定し、大量の雨水を堰部３の上からオーバーフローさせるようにすることも好ましい。
【００３５】  また、経年使用により、前記透水性管４が目詰まりを起こしたときには、前述のように、堆積した粒状物Ａを除去した後、該透水性管４の外部から高圧水流によって粒状物Ａを洗い流し、あるいは透水性管４の内部に多量の水を供給して、水を外側へ噴出させて粒状物Ａを洗い流す、つまり逆洗することによってろ過機能を回復させることができる。
【００３６】  次に、図１、図６、図７及び図８に基づいて、前記堰部３を複数箇所に設ける場合において、上流側の堰部３を構成する堰板２８を説明する。前記堰板２８は、ステンレスの板金で作製し、前記側溝２の内部下部を塞ぐように大きさを有している。前記堰板２８には、前記透水性管４を貫通させる開口２９が形成されており、前記連結部材１１を構成する金属部材１１Ａ，１１Ｂの一方の胴部１３に溶接されている。また、前記堰板２８の両側縁には、フランジ部３０，３０を直角に折曲して形成してあり、図９に示すように、前記フランジ部３０，３０を前記Ｕ字ブロック２０の内壁にコンクリート用アンカーボルト１８で固定している。図示した例では、前記Ｕ字ブロック２０の溝幅は４５０ｍｍ、透水性管４の直径は３００ｍｍである。
【００３７】  尚、本実施形態では、金属部材１１Ｂの胴部１３に堰板２８を溶接して一体的に設けた構造としたが、ボルト、ナット等により胴部１３に堰板２８を着脱可能に連結するようにしても良い。また、前記堰板２８は、両側にフランジ部３０，３０を形成したが、下端にもフランジ部を形成して該堰板２８の剛性をより高めることも好ましい。
【００３８】  このように、前記堰板２８を側溝２の下部に固定し、該堰板２８の開口２９を貫通して透水性管４を設けた後、前記堰板２８と側溝２の内面との間及び堰板２８の開口２９と透水性管４の間にシーリング材を充填して止水し、該透水性管４の内部以外を通して排水されないようにする。前記透水性管４は、連結部材１１と堰板２８を介して側溝２の内部に固定されるので、側溝２の内部でずれることがなく、初期の設計通りのろ過機能を備えた排水装置を維持できる。
【００３９】  また、図１０に示すように、前記堰板２８の下縁と両側縁を、前記側溝２を構成するＵ字ブロック２０，２０の接続部に形成される隙間３１に係合させて保持することも可能である。しかし、前記堰板２８と連結部材１１を一体化した場合には、透水性管４，４の接続部の位置と、Ｕ字ブロック２０，２０の接続部の位置が一致することは稀であるので、透水性管４，４の接続部は、単独の前記連結部材１１を用いて別途連結する必要があり、コスト高となる。
【００４０】  本実施形態で使用した前記透水性管４は、図１１に示すように、メッシュ状の透水面３２を螺旋状の合成樹脂補強材３３で保持した構造の透水性コルゲート管である。あるいは前記透水性管４は、図１２に示すように、多数の小孔３４，…を有する筒部３５を螺旋状の合成樹脂補強材３３で保持した構造の透水性コルゲート管である。ここで、前記メッシュ状の透水面３２又は筒部３５の小孔３４は、目的とする粒状物Ａや芝刈り残滓が通過しない程度の開口寸法である。
【符号の説明】
【００４１】１  人工芝グラウンド、          ２  側溝、
３  堰部、                      ４  透水性管、
５  閉塞部材、                  ６  支持手段、
７  蓋体、                      ８  地盤、
９  下地層、                    １０  人工芝、
１１  連結部材、                １１Ａ，１１Ｂ  金属部材、
１２  固定部材、                １３  胴部、
１４  連結片、                  １５  ボルト、ナット、
１６  水平片、                  １７  垂直片、
１８  アンカーボルト、          １９  クラッシャーラン、
２０  Ｕ字ブロック、            ２１  側壁部、
２２  不透水性層、              ２３  排水層、
２４  排水性アスコン層、        ２５  基材シート、
２６  芝葉、                    ２７  充填材、
２８  堰板（堰部）、            ２９  開口、
３０  フランジ部、              ３１  隙間、
３２  透水面、                  ３３  合成樹脂補強材、
３４  小孔、                    ３５  筒部、
１００  主排水溝、              １０１  側壁、
１０２  挿通孔、                １０３  シーリング材、
Ａ  粒状物。
【図１】
2011137354.tif 000003
【図２】
2011137354.tif 000004
【図３】
2011137354.tif 000005
【図４】
2011137354.tif 000006
【図５】
2011137354.tif 000007
【図６】
2011137354.tif 000008
【図７】
2011137354.tif 000009
【図８】
2011137354.tif 000010
【図９】
2011137354.tif 000011
【図１０】
2011137354.tif 000012
【図１１】
2011137354.tif 000013
【図１２】
2011137354.tif 000014